(57)【要約】【課    題】包装袋又は包装用の帯状リング材を機械力により開かせて野菜の投入を待つ状態を機械的に行い、前記袋やリング材のセットと野菜を掴んで前記袋やリング材の中に投入することを人手により行うことによって、野菜などの袋詰め作業或は帯かけ作業を大巾に合理化することを可能にした包装機構を提供すること。【解決手段】平面からみて略環状に形成された二重壁２，３であって、内側の周壁２には通気用の穴又はスリットによる通気部５を形成すると共に外側の壁３には外部の空気吸引手段９の吸引口６が接続されたケーシング１と、該ケーシング１の底を形成する底蓋体７であって開閉自在に形成された底蓋体７とを具備しており、前記底蓋体７を閉じた状態で空気吸引手段９を駆動し前記環状二重壁内４に吸引力を作用させ、該吸引力を前記通気部５に作用させることにより、このケーシング１の中に投入されたビニル製等の柔軟な袋Ｂ又は帯状リング材Ｒを内周壁２に沿って開かせるようにしたこと。【選択図】    図１
2004359284.tif 000002
【特許請求の範囲】
【請求項１】
平面からみて略環状に形成された二重壁であって、内側の周壁には通気用の穴又はスリットによる通気部を形成すると共に外側の壁には外部の空気吸引手段の吸引口が接続されたケーシングと、該ケーシングの底を形成する底蓋体であって開閉自在に形成された底蓋体とを具備しており、前記底蓋体を閉じた状態で空気吸引手段を駆動し前記環状二重壁内に吸引力を作用させ、該吸引力を前記通気部に作用させることにより、このケーシングの中に投入されたビニル製等の柔軟な袋又は帯状リング材を内周壁に沿って開かせるようにしたことを特徴とする野菜等の包装機構。
【請求項２】
底蓋体を閉じた状態でケーシングの中で開かれた袋又は帯状リング材の内側に野菜などを入れて前記吸引手段の駆動を停止するか、又は、停止させずに吸引力の作用を外し、前記底蓋体を開けることにより、前記袋又は帯状リング材の内側に入れられた野菜等を、そのまま下方へ落下させる請求項１の野菜等の包装機構。
【請求項３】
袋や帯状リング材に入れられて落下する被包装物はコンベアなどによって、外部に搬出するようにした請求項２の野菜等の包装機構。
【発明の詳細な説明】
【０００１】
【発明の属する技術分野】
本発明は野菜やパンなど手で掴める程度の品物の袋詰めや帯かけを、機械力と人手の協働作業で省力的かつ合理的に行うことを可能にした包装機構に関する。
【０００２】
【従来の技術】
従来から野菜や果物、或は、パンなどの食品は、ほぼ完全な形に包装された状態で店頭に並べられるものが殆どである。
【０００３】
様々な食品のうち、工場生産される加工食品の大半は、その生産ライン上においてほぼ完全に包装されるものが大半であるが、野菜や果物などのように、畑や田圃などで生産される農産品は、収穫してから出荷するために、選別や品揃えをした上で所要の単位量（大きさ，容積，重量などに拠る）ごと、透明なビニル袋などに詰める包装を行っているが、その作業はほとんどすべて手作業に依っているのが現状である。
【０００４】
しかし乍ら、野菜などの産品を所要量ごと手作業で揃えてまとめた上で、そのまとまり一つ一つを手作業で個々に袋詰め作業をすることは、いかにも非効率的であるが、例えば野菜の場合、袋詰めすべき野菜の種類や形態が多岐に亘ることによって、加工食品工場のようにライン上で自動袋詰めできるようにすることは、設備コストや設備効果の面で、経済的合理性に欠け現実的な方法とはいえない。
【０００５】
【発明が解決しようとする課題】
そこで本発明では、包装袋又は包装用の帯状リング材を機械力により開かせて野菜の投入を待つ状態を機械的に行い、前記袋やリング材のセットと野菜を掴んで前記袋やリング材の中に投入することを人手により行うことによって、野菜などの袋詰め作業或は帯かけ作業を大巾に合理化することを可能にした包装機構を提供することを、その課題とするものである。
【０００６】
【課題を解決するための手段】
上記課題を解決することを目的としてなされた本発明包装機構の構成は、平面からみて略環状に形成された二重壁であって、内側の周壁には通気用の穴又はスリットによる通気部を形成すると共に外側の壁には外部の空気吸引手段の吸引口が接続されたケーシングと、該ケーシングの底を形成する底蓋体であって開閉自在に形成された底蓋体とを具備しており、前記底蓋体を閉じた状態で空気吸引手段を駆動し前記環状二重壁内に吸引力を作用させ、該吸引力を前記通気部に作用させることにより、このケーシングの中に投入されたビニル製等の柔軟な袋又は帯状リング材を内周壁に沿って開かせるようにしたことを特徴とするものである。
【０００７】
本発明機構では、底蓋体を閉じた状態でケーシングの中で開かれた袋又はリング材の内側に野菜などを入れて前記吸引手段の駆動を停止するか、又は、停止させずに吸引力の作用を外し、前記底蓋体を開けることにより、袋又は帯状リング材の中に入れられた野菜等を、そのまま下方へ落下させるようにしている。そして、前記袋やリング材に入れられて落下する被包装物はコンベアなどによって、外部に搬出されるようにする。
【０００８】
【発明の実施の形態】
次に本発明包装機構の実施形態の一例について、図を参照して説明する。図１は本発明機構を模式的に示した断面図である。
【０００９】
図において、１は平面から見て円形乃至多角形状の内周壁２と外周壁３の間に環状に空間４を形成すると共に、この空間４の上，下部を板４ａで塞いだ、平面から見て略環状をなすケーシングで、内周壁２には、ここでは多数の穴（又はスリット）による通気部５が形成されると共に、空間４に連通する吸気口６が形成されている。この吸気口６は、外周壁３や塞ぎ板４ａなど、内部空間４に通じる部位であれば設置部位は、任意に設定できる。また、通気部５は、穴又はスリットを内周壁２にほぼ均一に分布させるパターンのほか、偏在させて設けるなど、吸気口６の位置や大きさ、或は、吸引力の大きさとの関係によって適宜設定すればよい。
【００１０】
上記の環状ケーシング１において、内周壁２がなす穴の底部には、底蓋体７が、ここではその右側を軸７ａによりケーシング１に枢着されていると共に、ギヤードモータやソレノイドなどによる開閉駆動源８によって開閉自在に設けられている。
【００１１】
環状ケーシング１に設けた吸気口６には、吸気管９ａを介してブロアーなどによる空気吸引手段９（以下、吸気手段９という）が接続されており、この吸気手段９を駆動すると、当該ケーシング１の空間４の空気がブロアーなどの吸気手段９により排気されるので、通気部５の各穴（又はスリット）から外気が空間４の内部に導入されてブロアー等の吸引手段側に流出されることになる。なお、吸気手段９としては真空掃除機の吸引機構を利用することができる。
【００１２】
この状態におかれたケーシング１の内周壁２と底蓋体７が形成する凹部に、例えば、ビニル製やポリエチレン製などの柔軟な袋Ｂ、或は、底がない帯状リング材Ｒを、開けない状態（平板状に閉じた状態）で入れると、通気部５の各穴（又はスリット）に作用している吸引力によって前記袋Ｂ（又はリング材Ｒ）は内周壁２に沿って開かれることになる。
【００１３】
袋Ｂ又はリング材Ｒが上記のように環状ケーシング１の内周壁２に沿って開かれた状態にあるとき、これらの袋Ｂ又はリング材Ｒの中（内側）に、包装したい野菜などの被包装材を手で入れ、吸気手段９を停止するか、吸気路を切換えて吸引力がケーシング１の空間４に作用するのを止め、開閉駆動源８を作動させて底蓋体７を開ける。以下は、袋Ｂについてのみ述べるが、リング材Ｒについても、袋Ｂと同様である。
【００１４】
底蓋体７が開けられると、袋Ｂに包装された野菜等の被包装材は包装されたままほぼ真下に落下する。落下する野菜等の被包装材は、環状ケーシング１の真下に配置されているコンベア１０により本発明機構の外部に搬出される。なお、１１は本発明包装機構を収装したカバー筺体である。
【００１５】
従来は人手によって袋Ｂ又はリング材Ｒを一枚ずつ開け、その開けた袋Ｂ又はリング材Ｒの中に、人手により包装すべき野菜等を入れる作業を行っていたため、一人でそれらの作業をするには著しく効率が悪く、従って、効率上げるために従来は一人が袋を開け、もう一人が野菜等を開けられた袋に入れるという二人掛かりの作業であった。以上の説明は、野菜等の包装について述べたが、本発明機構は、野菜以外の品物を袋に入れたり、その品物に幅広帯を掛ける包装に適用することができる。
【００１６】
【発明の効果】
しかるに、本発明機構を使用すると、一人の作業員が袋を本発明機構の中に入れて袋を機械力によって開けさせておき、その状態で同一作業員が野菜等の被包装材を開けられている袋の中に挿入して袋詰めを行うので、一人の作業員により袋開けから袋詰めまでを効率よく行うことができる。
【００１７】
また、袋詰めが完了すれば、環状ケーシングの底蓋体を開けて袋詰めされた被包装材を下のコンベア上に落下させて外部に搬出するので、野菜等の袋詰め作業を本発明機構と一人の作業員の人手による協働作用で至って効率よく行うことが可能になる。
【００１８】
本発明は以上の通りであるから、野菜等の産品を所要量の単位で、或は、その他の商品を袋や帯によって包装するための包装機構としてきわめて有用である。
【図面の簡単な説明】
【図１】本発明機構を模式的に示した断面図
【符号の説明】
１    ケーシング
２    内周壁
３    外周壁
４    空間
４ａ    塞ぎ板
５    通気部
６    吸気口
７    底蓋体
７ａ    軸
８    駆動源
９    吸気手段
９ａ    吸気管
１０    コンベア
１１    カバー筺体
Ｂ    袋
Ｒ    帯状リング材
【図１】
2004359284.tif 000003